(57)【要約】  回路基板アセンブリ７０は、回路基板７５と回路基板収容部７３ａを有するインバータハウジング７３と回路基板７５に接続される外部端子８６とを有する。回路基板７５は接続孔部７５ｂを有し、インバータハウジング７３は回路基板収容部７３ａの底面に突出する外部端子受部７３ｄを有する。外部端子受部７３ｄは外部端子装着孔部７３ｄ２を有する。外部端子装着孔部７３ｄ２は、インバータハウジング７３の底部７３ｉに開口する挿入側開口部７３ｄ３と、外部端子受部７３ｄの先端部に開口する突出側開口部７３ｄ４とを有する。突出側開口部７３ｄ４は接続孔部７５ｂに対向配置され、外部端子８６は、突出側開口部７３ｄ４から突出し且つ接続孔部７５ｂに挿入された状態で外部端子装着孔部７３ｄ２に配置される。
2019044521.tif 000002
【特許請求の範囲】
【請求項１】
回路基板と、
前記回路基板を収容する有底容器状の回路基板収容部を有するインバータハウジングと、
前記回路基板収容部内に配置され、前記回路基板の幅方向一方側端部に接続されて前記回路基板収容部の底面に延びる外部端子と、
を有し、
前記回路基板は、前記外部端子が挿入される接続孔部を有し、
前記接続孔部は、前記回路基板の厚さ方向に貫通し、
前記インバータハウジングは、前記回路基板収容部の前記底面から前記回路基板の前記接続孔部側へ向かって突出する外部端子受部を有し、
前記外部端子受部は、前記外部端子受部の前記回路基板側の端部と前記インバータハウジングの底部との間を貫通する外部端子装着孔部を有し、
前記外部端子装着孔部は、
前記インバータハウジングの前記底部に開口する挿入側開口部と、
前記外部端子受部の前記回路基板側の前記端部に開口する突出側開口部と、
を有し、
前記突出側開口部は、前記回路基板の前記接続孔部に対向して配置され、
前記外部端子は、前記挿入側開口部から前記外部端子装着孔部内に挿入されて、前記外部端子の先端部が前記突出側開口部から突出するとともに前記接続孔部に挿入された状態で、前記外部端子装着孔部に配置される
回路基板アセンブリ。
【請求項２】
前記外部端子装着孔部の内面には、径方向内側へ突出する突起部が設けられ、
前記外部端子は、前記突起部と嵌め合う係止凹部を有し、
前記外部端子は、前記外部端子装着孔部内に挿入された状態で、前記突起部及び前記係止凹部が嵌め合って前記外部端子装着孔部内に配置される。
請求項１に記載の回路基板アセンブリ。
【請求項３】
前記外部端子装着孔部の内面には径方向内側へ突出する段部を有し、
前記外部端子は、前記外部端子の側面に設けられ前記外部端子が前記接続孔部に接続される側と反対側へ進むにしたがって径方向外側へ傾斜して延びるストッパ部を有し、
前記ストッパ部は、弾性変形可能であり、
前記段部は、前記外部端子が前記外部端子装着孔部内に挿入された状態で、前記段部の径方向内側の先端部に対向する前記外部端子装着孔部の前記内面と前記段部の前記先端部との間の距離は、前記外部端子の前記段部の突出方向の厚さよりも大きく、かつ前記ストッパ部の延伸方向の先端部は、前記段部の前記突出側開口部側の面に対向して配置される
請求項１又は２に記載の回路基板アセンブリ。
【請求項４】
前記インバータハウジングは、樹脂による一体成型品であり、
前記外部端子受部は、前記段部よりも前記突出側開口部側の側壁部に前記外部端子装着孔部に連通する切欠き部を有し、
前記段部は、前記外部端子受部を前記突出側開口部側から前記挿入側開口部に向かって見たときに、前記切欠き部を介して前記段部の前記突出側開口部側の前記面が露出するとともに、前記突出側開口部を有した前記外部端子受部の前記回路基板側の端部と重ならない位置に配置される
請求項３に記載の回路基板アセンブリ。
【請求項５】
請求項１から４のいずれか１項に記載の前記インバータハウジングと、
前記インバータハウジングの前記底部に配置されて前記底部の底面に沿って広がる金属製のベースプレートと、
を有し、
前記ベースプレートに対して前記インバータハウジング側と反対側に、前記ベースプレートに対して交差する方向に延びる中心軸を中心とするシャフトを有するモータ部と、
前記モータ部に対して前記インバータハウジング側と反対側の軸方向一方側に位置し、前記モータ部によって前記シャフトを介して駆動されオイルを吐出するポンプ部と、
が設けられ、
前記モータ部は、
前記シャフトの軸方向他方側に固定されるロータと、
前記ロータの径方向外側に位置するステータと、
前記ロータ及び前記ステータを収容するモータハウジングと、
を有し、
前記ポンプ部は、
前記モータ部から軸方向一方側に突出する前記シャフトに取り付けられるポンプロータと、
前記ポンプロータを収容する収容部を有したポンプハウジングと、
を有し、
前記モータハウジングは、前記インバータハウジング側に底部を有する有底筒状であり、
前記モータハウジングは、前記インバータハウジング側の前記底部に前記ベースプレートを介して前記インバータハウジングを固定する
電動オイルポンプ。
【請求項６】
前記ベースプレートは、前記外部端子装着孔部の前記挿入側開口部に対向する位置に連通孔部を有し、
前記外部端子受部の前記挿入側開口部側は、前記連通孔部を通って前記ベースプレートの軸方向一方側へ延びる延長部を有する
請求項５に記載の電動オイルポンプ。
【請求項７】
前記インバータハウジングは、樹脂製であり、
前記インバータハウジングの前記底部には、前記底部を前記ベースプレートに固定する金属製の固定部材を有し、
前記固定部材は、前記外部端子受部に隣接して配置される
請求項６に記載の回路基板アセンブリ。
【請求項８】
前記ベースプレートの前記連通孔部が設けられた側の前記ベースプレートの側端部には、軸方向一方側へ進むにしたがって径方向外側へ傾斜して延びる支持部が設けられ、
前記支持部は、前記外部端子に電気的に繋がるケーブルを支持する
請求項７に記載の電動オイルポンプ。
【発明の詳細な説明】
【技術分野】
【０００１】
本発明は、回路基板アセンブリ及びこれを備える電動オイルポンプに関する。
【背景技術】
【０００２】
例えば、特許文献１には、回路基板を有したインバータ部と電動ポンプとが一体化された電動オイルポンプが開示される。この電動オイルポンプは、オイルポンプ部と、インバータ部と、を有する。インバータ部は、樹脂製のインバータケースと、インバータケース内に収納される制御基板と、インバータケースに固定され制御基板を覆う金属製のカバーとを有する。【０００３】
制御基板にはモータ部のステータに巻かれた巻線に制御された電流を供給するインバータ回路が搭載されている。インバータケースとカバーの間にはコネクタ端子が取り付けられ、制御基板に搭載された電気素子に制御信号や電力を供給する。
【先行技術文献】
【特許文献】
【０００４】
【特許文献１】特開２０１３−０９２１２６号公報
【発明の概要】
【発明が解決しようとする課題】
【０００５】
特許文献１に記載のインバータ部は、インバータケースのモータ部より径方向外側へ延びる端部に外部端子を挿入するコネクタ部が突出して設けられる。コネクタ部内には、制御基板に電気的に接続されたコネクタ端子が設けられる。このため、インバータ部はインバータケースから突出するコネクタ部によって大型化する。【０００６】
また、電動オイルポンプを変速機に固定する場合、電動オイルポンプは、車両の既存スペースに設置されるため、搭載上の制約が厳しく、様々な搭載スペースに設置できるように小型化が要求される。特に、電動オイルポンプにインバータ部が設けられている場合には、より小型化が要求される。【０００７】
本発明の目的は、外部端子を制御基板に接続した状態でインバータ部の小型化が可能な回路基板アセンブリ及びこれを備える電動オイルポンプを提供することである。
【課題を解決するための手段】
【０００８】
本願の例示的な第１発明は、回路基板と、前記回路基板を収容する有底容器状の回路基板収容部を有するインバータハウジングと、前記回路基板収容部内に配置され、前記回路基板の幅方向一方側端部に接続されて前記回路基板収容部の底面に延びる外部端子と、を有し、前記回路基板は、前記外部端子が挿入される接続孔部を有し、前記接続孔部は、前記回路基板の厚さ方向に貫通し、前記インバータハウジングは、前記回路基板収容部の前記底面から前記回路基板の前記接続孔部側へ向かって突出する外部端子受部を有し、前記外部端子受部は、前記外部端子受部の前記回路基板側の端部と前記インバータハウジングの底部との間を貫通する外部端子装着孔部を有し、前記外部端子装着孔部は、前記インバータハウジングの前記底部に開口する挿入側開口部と、前記外部端子受部の前記回路基板側端部に開口する突出側開口部と、を有し、前記突出側開口部は、前記回路基板の前記接続孔部に対向して配置され、前記外部端子は、前記挿入側開口部から前記外部端子装着孔部内に挿入されて、前記外部端子の先端部が前記突出側開口部から突出するとともに前記接続孔部に挿入された状態で、前記外部端子装着孔部に配置される回路基板アセンブリである。
【発明の効果】
【０００９】
本願の例示的な第１発明によれば、外部端子を制御基板に接続した状態でインバータ部の大型化を抑制可能な回路基板アセンブリ及びこれを備える電動オイルポンプを提供することができる。
【図面の簡単な説明】
【００１０】
【図１】第１実施形態に係る電動オイルポンプの断面図である。
【図２】第１実施形態に係るインバータハウジングの断面図である。
【図３】第１実施形態に係るインバータハウジングをリア側から見た平面図である。
【図４】第１実施形態に係る回路基板アセンブリの部分断面図である。
【図５】第１実施形態に係る外部端子受部を有したインバータハウジングの斜視図である。
【図６】第１実施形態に係る外部端子受部の平面図である。
【発明を実施するための形態】
【００１１】
以下、図面を参照しながら、本発明の実施形態に係る回路基板アセンブリ及び電動オイルポンプについて説明する。回路基板アセンブリは、電動オイルポンプに設けられているので、電動オイルポンプの説明のなかで回路基板アセンブリを説明する。また、以下の図面においては、各構成をわかり易くするために、実際の構造と各構造における縮尺及び数等を異ならせる場合がある。
【００１２】
また、図面においては、適宜３次元直交座標系としてＸＹＺ座標系を示す。ＸＹＺ座標系において、Ｚ軸方向は、図１に示す中心軸Ｊの軸方向と平行な方向とする。Ｘ軸方向は、図１に示す電動オイルポンプの短手方向と平行な方向、すなわち、図１の左右方向とする。Ｙ軸方向は、Ｘ軸方向とＺ軸方向との両方と直交する方向とする。
【００１３】
また、以下の説明においては、Ｚ軸方向の正の側（＋Ｚ側）を「リア側」と記し、Ｚ軸方向の負の側（−Ｚ側）を「フロント側」と記す。なお、リア側及びフロント側とは、単に説明のために用いられる名称であって、実際の位置関係や方向を限定しない。また、特に断りのない限り、中心軸Ｊに平行な方向（Ｚ軸方向）を単に「軸方向」と記し、中心軸Ｊを中心とする径方向を単に「径方向」と記し、中心軸Ｊを中心とする周方向、すなわち、中心軸Ｊの軸周り（θ方向）を単に「周方向」と記す。
【００１４】
なお、本明細書において、軸方向に延びる、とは、厳密に軸方向（Ｚ軸方向）に延びる場合に加えて、軸方向に対して、４５°未満の範囲で傾いた方向に延びる場合も含む。また、本明細書において、径方向に延びる、とは、厳密に径方向、すなわち、軸方向（Ｚ軸方向）に対して垂直な方向に延びる場合に加えて、径方向に対して、４５°未満の範囲で傾いた方向に延びる場合も含む。
【００１５】
[第１実施形態]
＜全体構成＞
図１は、第１実施形態に係る電動オイルポンプの断面図である。本実施形態の電動オイルポンプ１は、図１に示すように、モータ部１０と、ポンプ部４０と、回路基板アセンブリ７０と、を有する。モータ部１０とポンプ部４０は、軸方向に沿って配置される。モータ部１０は、軸方向に延びる中心軸Ｊに沿って配置されたシャフト１１を有する。ポンプ部４０は、モータ部１０の軸方向一方側（フロント側）に位置し、モータ部１０によってシャフト１１を介して駆動されオイルを吐出する。回路基板アセンブリ７０は、モータ部１０の軸方向他方側（リア側）に位置して、ベースプレート７７を介してモータ部１０に固定される。以下、構成部材毎に詳細に説明する。
【００１６】
＜モータ部１０＞
モータ部１０は、図１に示すように、モータハウジング１３と、ロータ２０と、シャフト１１と、ステータ２２と、を有する。
【００１７】
モータ部１０は、例えば、インナーロータ型のモータであり、ロータ２０がシャフト１１の外周面に固定され、ステータ２２がロータ２０の径方向外側に位置する。
【００１８】
（モータハウジング１３）
モータハウジング１３は、ステータ保持部１３ａと、インバータ保持部１３ｂと、ポンプボディ保持部１３ｃと、を有する。モータハウジング１３は、金属製である。モータハウジング１３は、回路基板アセンブリ７０側に底部１３ｄを有した有底筒状である。
【００１９】
（ステータ保持部１３ａ）
ステータ保持部１３ａは、軸方向に延びて内部に貫通孔１３ａ１を有する。貫通孔１３ａ１内にモータ部１０のシャフト１１とロータ２０とステータ２２が配置される。ステータ保持部１３ａの内側面には、ステータ２２の外側面、すなわち、後述するコアバック部２２ａの外側面が嵌め合わされる。これにより、ステータ保持部１３ａにステータ２２が収容される。
【００２０】
（インバータ保持部１３ｂ）
インバータ保持部１３ｂは、ステータ保持部１３ａのリア側端部１３ｂ１に繋がる部分である。本実施形態では、インバータ保持部１３ｂは、ステータ保持部１３ａのリア側端部１３ｂ１と、リア側端部１３ｂ１から径方向内側に延びる円板状の底部１３ｄと、を有する。底部１３ｄの中央部には、軸方向に貫通するモータ部側貫通孔１３ｄ１が設けられる。このモータ部側貫通孔１３ｄ１には、回路基板アセンブリ７０のフロント側底部から突出して設けられたコイル端挿入部７６が挿入される。コイル端挿入部７６には、軸方向に貫通するインバータ部側貫通孔７６ａが設けられる。インバータ部側貫通孔７６ａは、モータ部１０内と回路基板アセンブリ７０内とを連通する。コイル端挿入部７６の詳細は後述する。
【００２１】
モータハウジング１３の底部１３ｄ上には、回路基板アセンブリ７０のフロント側端部に設けられたベースプレート７７が載置されて、ベースプレート７７が底部１３ｄに溶接される。このため、モータハウジング１３の底部１３ｄに回路基板アセンブリ７０が固定される。
【００２２】
（ポンプボディ保持部１３ｃ）
ポンプボディ保持部１３ｃは、フロント側が開口した筒状であり、ステータ保持部１３ａのフロント側端に連続して繋がる。ポンプボディ保持部１３ｃ内は、軸方向に延びる孔部１３ｃ１を有する。孔部１３ｃ１の内径は、後述するポンプ部４０のポンプボディ５２のリア側の外径よりも僅かに大きな寸法を有する。孔部１３ｃ１の内側面にポンプボディ５２のリア側が嵌め合わされる。
【００２３】
ポンプボディ保持部１３ｃの外側面１３ｃ２には、径方向に突出するモータ側フランジ部１３ｃ３を有する。モータ側フランジ部１３ｃ３は、後述するポンプボディ５２に設けられるポンプ側フランジ部５２ａに対向して配置されて、ボルト４２ａ等の固定部材４２によってポンプ側フランジ部５２ａに固定される。これにより、モータハウジング１３にポンプ部４０が固定される。
【００２４】
（ロータ２０）
ロータ２０は、ロータコア２０ａと、ロータマグネット２０ｂと、を有する。ロータコア２０ａは、シャフト１１を軸周り（θ方向）に囲んで、シャフト１１に固定される。ロータマグネット２０ｂは、ロータコア２０ａの軸周り（θ方向）に沿った外側面に固定される。ロータコア２０ａ及びロータマグネット２０ｂは、シャフト１１と共に回転する。なお、ロータ２０は、ロータ２０の内部に永久磁石が埋め込まれた埋込磁石型でもよい。埋込磁石型のロータ２０は、永久磁石をロータ２０の表面に設けた表面磁石型と比較して、遠心力によって磁石が剥がれる虞を軽減することができ、また、リラクタンストルクを積極的に利用することができる。
【００２５】
（ステータ２２）
ステータ２２は、ロータ２０を軸周り（θ方向）に囲み、ロータ２０を中心軸Ｊ周りに回転させる。ステータ２２は、コアバック部２２ａと、ティース部２２ｃと、コイル２２ｂと、インシュレータ（ボビン）２２ｄと、を有する。
【００２６】
コアバック部２２ａの形状は、シャフト１１と同心の円筒状である。ティース部２２ｃは、コアバック部２２ａの内側面からシャフト１１に向かって延びる。ティース部２２ｃは、複数設けられ、コアバック部２２ａの内側面の周方向に均等な間隔で配置される。コイル２２ｂは、インシュレータ（ボビン）２２ｄの周囲に設けられ、導電線２２ｅが巻回されてなる。インシュレータ（ボビン）１９は、各ティース部２２ｃに装着される。
【００２７】
（シャフト１１）
シャフト１１は、図１に示すように、中心軸Ｊに沿って延びてモータ部１０を貫通する。シャフト１１のフロント側（−Ｚ側）は、モータ部１０から突出してポンプ部４０内に延びる。シャフト１１のリア側（＋Ｚ側）は、ロータ２０から突出して自由端となる。このため、ロータ２０は、シャフト１１のフロント側が後述するすべり軸受４５で支持される片持ち支持の状態となる。
【００２８】
（回路基板アセンブリ７０）
回路基板アセンブリ７０は、インバータハウジング７３と、カバー部９０と、を有する。
【００２９】
図２は、第１実施形態に係るインバータハウジング７３の断面図である。図３は、第１実施形態に係るインバータハウジング７３をリア側から見た平面図である。インバータハウジング７３は、樹脂による一体成型品である。インバータハウジング７３は、図２及び図３に示すように、リア側が開口してフロント側に窪む回路基板収容部７３ａを有してＸ軸及びＹ軸方向に延びる有底容器状である。インバータハウジング７３の回路基板収容部７３ａのフロント側の端壁部７３ｋには、中心軸Ｊと同軸上に延びるインバータ部側貫通孔７６ａが設けられる。このインバータ部側貫通孔７６ａは、端壁部７３ｋから軸方向両側へ延びる筒状の壁部７６ｂの内側に設けられる。壁部７６ｂのフロント側は端壁部７３ｋよりもフロント側へ突出して、モータハウジング１３の底部１３ｄに設けられたモータ部側貫通孔１３ｄ１内に延びる。
【００３０】
一方、壁部７６ｂのリア側は、端壁部７３ｋよりもリア側へ延びて回路基板収容部７３ａの軸方向深さの約半分の位置まで延びる。また、壁部７６ｂのリア側のうち、バスバーホルダ８１が配置された側の壁部７６ｂにはバスバー８０のバスバー端子８０ａを挿入可能な切欠き部７６ｂ１が設けられる。モータ部１０から延びるコイル端２２ｂ１はインバータ部側貫通孔７６ａを通ってバスバー端子８０ａに接続される。このため、コイル端２２ｂ１は、樹脂製の壁部７６ｂ内を通るので、コイル端２２ｂ１の絶縁を維持することができる。
【００３１】
バスバーホルダ８１及びバスバー８０は、樹脂による一体成型品である。バスバーホルダ８１は、図３に示すように、回路基板収容部７３ａ内において、モータ部１０のシャフト１１に対して、回路基板７５に電気的に接続される外部端子８６側と反対側に配置される。本実施形態では、バスバーホルダ８１は、インバータ部側貫通孔７６ａよりもＸ軸方向左側に配置される。バスバーホルダ８１は、リア側からフロント側へ窪む凹状のホルダ本体部８１ａと、ホルダ本体部８１ａの一端側端部からホルダ本体部８１ａの両端幅よりも外側へ突出する固定部８１ｂと、を有する。ホルダ本体部８１ａは、凹状に窪んだ側の凹状端部８１ｄがモータ部１０側へ向いて回路基板収容部７３ａ内に配置される。
【００３２】
回路基板収容部７３ａの底部には、図２及び図３に示すように、リア側へ突出する突出部９５が設けられる。本実施形態では、突出部９５は、インバータ部側貫通孔７６ａよりもＸ軸方向左側であって中心軸Ｊに対してＹ軸方向一方側及び他方側に２か所設けられる。２つの突出部９５は中心軸Ｊに対してＹ軸方向プラス側にずれて配置される。突出部９５のリア側の先端部は、回路基板収容部７３ａの軸方向高さの約半分の高さに位置する。突出部９５には、先端部に開口してフロント側へ延びる雌ねじ部９５ａが設けられる。この雌ねじ部９５ａにボルト９１ａ等の固定部材９１が螺合してフランジ部８１ｂ２が締結される。
【００３３】
図４は、第１実施形態に係る回路基板アセンブリ７０の部分断面図である。図５は、第１実施形態に係る外部端子受部７３ｄを有したインバータハウジング７３の斜視図である。図６は、第１実施形態に係る外部端子受部７３ｄの平面図である。インバータハウジング７３は、図４に示すように、回路基板収容部７３ａの底面７３ａ１から回路基板７５の接続孔部７５ｂ側へ向かって突出する外部端子受部７３ｄを有する。本実施形態では、回路基板収容部７３ａのＸ軸方向右側の底面７３ａ１上に外部端子受部７３ｄが設けられる。外部端子受部７３ｄのリア側端部に対向する回路基板７５には、外部端子８６が挿入される接続孔部７５ｂが設けられる。接続孔部７５ｂは、回路基板７５の厚さ方向（軸方向）に貫通する。
【００３４】
外部端子受部７３ｄは、外部端子受部７３ｄの回路基板側（リア側）の端部７３ｄ１とインバータハウジング７３の底部７３ｉとの間を貫通する外部端子装着孔部７３ｄ２を有する。外部端子装着孔部７３ｄ２は、インバータハウジング７３の底部７３ｉに開口する挿入側開口部７３ｄ３と、外部端子受部７３ｄの回路基板側端部に開口する突出側開口部７３ｄ４と、を有する。突出側開口部７３ｄ４は、回路基板７５の接続孔部７５ｂに対向して配置される。
【００３５】
外部端子８６は、挿入側開口部７３ｄ３から外部端子装着孔部７３ｄ２内に挿入されて、外部端子８６の先端部が突出側開口部７３ｄ４から突出するとともに接続孔部７５ｂに挿入された状態で、外部端子装着孔部７３ｄ２に配置される。外部端子８６は、外部ケーブル８７の端部を保持するとともに端部から延びる導電体を電気的に接続する端子本体部８６ａを有する。端子本体部８６ａは、リア側に接続孔部７５ｂに挿入される棒状端部８６ａ１と、棒状端部８６ａ１のフロント側端部に繋がってフロント側へ延びて導電体を接続する導電体接続部８６ａ２と、外部ケーブル８７の端部に被覆されて弾性を有した蓋体部８６ａ３（例えば、ゴム）と、を有する。
【００３６】
端子本体部８６ａは、直方体状であり、端子本体部８６ａのＸ軸方向右側の側面には、ストッパ部８６ｂが設けられる。ストッパ部８６ｂは、外部端子装着孔部７３ｄ２内に設けられた段部７３ｄ５に接触して、外部端子８６の抜脱を防止する。ストッパ部８６ｂ及び段部７３ｄ５の詳細は後述する。
【００３７】
蓋体部８６ａ３は、筒状であり、内側に軸方向に貫通する貫通孔８６ａ４を有する。貫通孔８６ａ４には外部ケーブル８７が通される。蓋体部８６ａ３が挿入される外部端子装着孔部７３ｄ２の内面には、径方向内側へ突出する突起部７３ｄ６が設けられる。本実施形態では、突起部７３ｄ６は、外部端子装着孔部７３ｄ２の内面のフロント側に設けられる。蓋体部８６ａ３の外側面には、突起部７３ｄ６と嵌め合う係止凹部８６ａ５を有する。本実施形態では、外部端子装着孔部７３ｄ２の内面及び蓋体部８６ａ３の外側面の夫々には、凹部と凸部の両方を有した凹凸部が設けられる。外部端子８６の蓋体部８６ａ３は、外部端子装着孔部７３ｄ２内に挿入された状態で、突起部７３ｄ６及び係止凹部８６ａ５が嵌め合って、外部端子８６は外部端子装着孔部７３ｄ２内に配置される。
【００３８】
外部端子８６は、外部端子８６の側面に設けられ外部端子８６が接続孔部７５ｂに接続される側と反対側へ進むにしたがって径方向外側へ傾斜して延びるストッパ部８６ｂを有する。本実施形態では、ストッパ部８６ｂは、端子本体部８６ａのＸ軸方向右側の側面に設けられる。ストッパ部８６ｂは、弾性変形可能である。例えば、ストッパ部８６ｂは、金属製である。
【００３９】
外部端子装着孔部７３ｄ２の内面に突出して設けられた段部７３ｄ５は、立方体形状である。本実施形態では、段部７３ｄ５は、外部端子装着孔部７３ｄ２の軸方向の中間位置に設けられる。段部７３ｄ５は、外部端子８６が外部端子装着孔部７３ｄ２内に挿入された状態で、段部７３ｄ５の径方向内側の先端部に対向する外部端子装着孔部７３ｄ２の内面と段部７３ｄ５の先端部との間の距離Ｘは、外部端子（端子本体部８６ａ）の厚さＷ（Ｘ軸方向の幅）よりも大きく、かつストッパ部８６ｂの延伸方向の先端部は、段部７３ｄ５の突出側開口部７３ｄ４側（リア側）の面７３ｄ７に対向して配置される。このため、外部端子８６を外部端子装着孔部７３ｄ２に挿入する際に、外部端子８６の端子本体部８６ａは、外部端子装着孔部７３ｄ２のうちの段部７３ｄ５よりも径方向内側を通過することができる。
【００４０】
図５に示すように、外部端子受部７３ｄは、段部７３ｄ５よりも突出側開口部７３ｄ４側の側面に外部端子装着孔部７３ｄ２に連通する切欠き部７３ｄ８を有する。本実施形態では、切欠き部７３ｄ８は、Ｘ軸方向プラス側からマイナス側へ向かって見たときに、長方形状である。切欠き部７３ｄ８の軸方向長さは、段部７３ｄ５のリア側の面７３ｄ７から外部端子受部７３ｄのリア側の端部７３ｄ１までの長さを有する。また、切欠き部７３ｄ８のＹ軸方向長さは、段部７３ｄ５のＹ軸方向長さと略同じ長さを有する。また、段部７３ｄ５は、外部端子受部７３ｄを突出側開口部７３ｄ４側から挿入側開口部７３ｄ３に向かって見たときに、すなわち、外部端子受部７３ｄをリア側からフロント側に向かって見たときに、図６に示すように、切り欠き部７３ｄ８を介して段部７３ｄ５の突出側開口部７３ｄ４側の面７３ｄ７が露出するとともに、突出側開口部７３ｄ４を有した外部端子受部７３ｄの回路基板側の端部７３ｄ１と重ならない位置に配置される。即ち、段部７３ｄ５のＸ軸方向左側の面と端部７３ｄ１のＸ軸方向右側の面との間に隙間７３ｄ９が設けられる。
【００４１】
このように構成された外部端子受部７３ｄの挿入側開口部７３ｄ３から外部端子装着孔部７３ｄ２内に外部端子８６を挿入すると、図４に示すように、外部端子８６の先端部が突出側開口部７３ｄ４から突出するとともに接続孔部７５ｂに挿入された状態で、外部端子８６が外部端子装着孔部７３ｄ２に配置される。
【００４２】
回路基板７５は、モータ出力信号を出力する。回路基板７５は、図１に示すように、回路基板収容部７３ａのリア側に配置されて軸方向に対して交差する方向に延びる。本実施形態では、回路基板７５は、軸方向に対して直交するＸ軸方向に延びる。回路基板７５のフロント側の側面（フロント側面７５ａ）には、図示しないプリント配線が設けられる。また、回路基板７５のフロント側面７５ａには、複数の電子部品が実装される。回路基板７５として、銅インレイ基板を用いることにより、図示しない発熱素子で発生した熱をカバー部を介して放熱することができる。
【００４３】
インバータハウジング７３は、図１に示すように、フロント側にベースプレート７７を有する。ベースプレート７７は、金属製であり、インバータハウジング７３のフロント側の底面７３ｅに沿って延びる。ベースプレート７７は、インバータハウジング７３のフロント側の底面７３ｅよりも大きな相似形状を有して底面７３ｅを覆う。
【００４４】
ベースプレート７７に対してインバータハウジング７３側と反対側（フロント側）には、ベースプレート７７に対して交差する方向に延びる中心軸を中心とするシャフト１１を有するモータ部１０が設けられる。また、モータ部１０に対してインバータハウジング７３側と反対側（フロント側）には、モータ部１０によってシャフト１１を介して駆動されオイルを吐出するポンプ部４０が設けられる。
【００４５】
モータハウジング１３は、回路基板アセンブリ７０側に底部１３ｄを有する有底筒状である。モータハウジング１３は、回路基板アセンブリ７０側の底部１３ｄにベースプレート７７を介してインバータハウジング７３を固定する。本実施形態では、モータハウジング１３の底部１３ｄにベースプレート７７を溶接で固定し、インバータハウジング７３の底部１３ｄをベースプレート７７にボルト７４ａ等の固定部材７４を介して固定する。
【００４６】
ベースプレート７７は、図４に示すように、外部端子装着孔部７３ｄ２の挿入側開口部７３ｄ３に対向する位置に連通孔部７７ｄを有する。外部端子受部７３ｄの挿入側開口部７３ｄ３側は、連通孔部７７ｄを通ってベースプレート７７の軸方向一方側へ延びる延長部７３ｄ１０を有する。本実施形態では、延長部７３ｄ１０には、前述した蓋体部８６ａ３が挿入され、蓋体部８６ａ３のフロント側が延長部７３ｄ１０のフロント側端部から突出している。このため、外部ケーブル８７とモータハウジング１３の底部１３ｄとの距離をより広げることができ、外部ケーブル８７の絶縁性が確保される。
【００４７】
また、図４及び図５に示すように、インバータハウジング７３の底部７３ｉには、底部７３ｉをベースプレート７７に固定する金属製の固定部材７４を有し、固定部材７４は、外部端子受部７３ｄに隣接して配置される。本実施形態では、金属製のボルト７４ａが外部端子受部７３ｄに隣接して配置され、ボルト７４ａはインバータハウジング７３の底部１３ｄを貫通してベースプレート７７に締結される。このため、ボルト７４ａを介してインバータハウジング７３をベースプレート７７に強固に固定することができる。
【００４８】
また、ベースプレート７７の連通孔部７７ｄが設けられた側のベースプレート７７の側端部には、軸方向一方側へ進むにしたがって径方向外側へ傾斜して延びる支持部７７ｅが設けられる。支持部７７ｅは、外部端子８６に電気的に繋がる外部ケーブル８７を支持する。外部ケーブル８７は、例えば、支持部７７ｅに沿って延びて紐、結束バンド等で支持部７７ｅに固定される。また、支持部７７ｅに穴部を設けて穴部に外部ケーブル８７を掛止してもよい。
【００４９】
＜ポンプ部４０＞
ポンプ部４０は、図１に示すように、モータ部１０の軸方向一方側、詳細にはフロント側（−Ｚ側）に位置する。ポンプ部４０は、モータ部１０によってシャフト１１を介して駆動される。ポンプ部４０は、ポンプロータ４７と、ポンプハウジング５１と、を有する。ポンプハウジング５１は、ポンプボディ５２と、ポンプカバー５７と、を有する。以下、各部品について詳細に説明する。
【００５０】
（ポンプボディ５２）
ポンプボディ５２は、モータ部１０のフロント側（−Ｚ側）においてモータハウジング１３のフロント側（−Ｚ側）内に固定される。ポンプボディ５２は、リア側（＋Ｚ側）の面からフロント側（−Ｚ側）に窪む凹部５４を有する。凹部５４内にはシール部材５９が収容される。ポンプボディ５２は、ポンプロータ４７を収容し側面及びポンプ部４０のリア側（＋Ｚ側）に位置する底面を有する収容部５３を有する。収容部５３は、フロント側（−Ｚ側）に開口してリア側（＋Ｚ側）に窪む。収容部５３の軸方向から視た形状は、円形状である。
【００５１】
ポンプカバー５７は、ポンプボディ５２に対してフロント側（−Ｚ側）から覆うことで、ポンプボディ５２との間に収容部５３を設ける。ポンプボディ５２のリア側の外側面５２ｂには径方向内側に窪んだ環状の凹部６０が設けられる。この凹部６０にはシール部材６１（例えば、Ｏリング）が挿入される。
【００５２】
ポンプボディ５２は、中心軸Ｊに沿って貫通する貫通孔５５を有する。貫通孔５５は軸方向両端が開口してシャフト１１が通され、リア側（＋Ｚ側）の開口が凹部５４に開口し、フロント側（−Ｚ側）の開口が収容部５３に開口する。貫通孔５５は、シャフト１１を回転可能に支持するすべり軸受４５として機能する。
【００５３】
ポンプボディ５２の径方向外側端部には、ポンプ側フランジ部５２ａが設けられる。ポンプ側フランジ部５２ａは、周方向に間隔を有して複数設けられる。
【００５４】
（ポンプカバー５７）
ポンプカバー５７は、図１に示すように、ポンプボディ５２のフロント側に取り付けられるポンプカバー本体部５７ａと、ポンプカバー本体部５７ａの径方向一方側端部からモータ部１０側へ向かって延びるポンプカバー腕部５７ｂと、を有する。
【００５５】
ポンプカバー本体部５７ａの径方向外側端部には、ポンプカバー側フランジ部５７ａ１が設けられる。ポンプカバー側フランジ部５７ａ１は、周方向に間隔を有して複数設けられる。ポンプカバー側フランジ部５７ａ１には、ボルト４２ａが螺合可能な雌ねじが設けられる。
【００５６】
ポンプカバー側フランジ部５７ａ１上には、モータ側フランジ部１３ｃ３及びポンプ側フランジ部５２ａが重なるように配置されて、モータ側フランジ部１３ｃ３及びポンプ側フランジ部５２ａに通されたボルト４２ａがポンプカバー側フランジ部５７ａ１に設けられた雌ねじに締結されることで、モータ部１０をポンプ部４０に固定することができる。
【００５７】
ポンプカバー腕部５７ｂは、ポンプカバー本体部５７ａの径方向一方側の外側端部からモータハウジング１３の外側面１３ｅに沿ってモータ部１０のリア側へ延びる。ポンプカバー腕部５７ｂは、直方体状に形成されて剛性が強化される。ポンプカバー腕部５７ｂのリア側端部には、固定されるポンプ固定部６５を有する。本実施形態では、ポンプ固定部６５は、例えば変速機に固定される。ポンプ固定部６５は、箱状であり、Ｙ軸方向に貫通する固定孔部６５ａを有する。この固定孔部６５ａにボルト等の固定部材が挿入されて、ポンプ固定部６５は、変速機等の固定対象物に強固に固定される。
【００５８】
なお、本実施形態では、ポンプロータ４７を収容する収容部５３がポンプボディ５２に設けられた例を示したが、これに限るものではない。収容部５３はポンプカバー５７に設けられてもよい。
【００５９】
（ポンプロータ４７）
ポンプロータ４７は、シャフト１１に取り付けられる。より詳細には、ポンプロータ４７は、シャフト１１のフロント側（−Ｚ側）に取り付けられる。ポンプロータ４７は、シャフト１１に取り付けられるインナーロータ４７ａと、インナーロータ４７ａの径方向外側を囲むアウターロータ４７ｂと、を有する。インナーロータ４７ａは、円環状である。インナーロータ４７ａは、径方向外側面に歯を有する歯車である。
【００６０】
インナーロータ４７ａは、シャフト１１に固定される。より詳細には、インナーロータ４７ａの内側にシャフト１１のフロント側（−Ｚ側）の端部が圧入される。インナーロータ４７ａは、シャフト１１と共に軸周り（θ方向）に回転する。アウターロータ４７ｂは、インナーロータ４７ａの径方向外側を囲む円環状である。アウターロータ４７ｂは、径方向内側面に歯を有する歯車である。
【００６１】
インナーロータ４７ａとアウターロータ４７ｂとは互いに噛み合い、インナーロータ４７ａが回転することでアウターロータ４７ｂが回転する。すなわち、シャフト１１の回転によりポンプロータ４７は回転する。言い換えると、モータ部１０とポンプ部４０とは同一の回転軸を有する。これにより、電動オイルポンプ１が軸方向に大型化することを抑制できる。
【００６２】
また、インナーロータ４７ａとアウターロータ４７ｂとが回転することで、インナーロータ４７ａとアウターロータ４７ｂの噛み合わせ部分の間の容積が変化する。容積が減少する領域が加圧領域なり、容積が増加する領域が負圧領域となる。ポンプロータ４７の負圧領域のフロント側（−Ｚ側）には、吸入ポートが配置される。また、ポンプロータ４７の加圧領域Ａｐのフロント側（−Ｚ側）には、吐出ポートが配置される。ここで、ポンプカバー５７に設けられた吸入口５７ｃから収容部５３内に吸入されるオイルは、インナーロータ４７ａとアウターロータ４７ｂの間の容積部分に収容され、加圧領域に送られる。その後、オイルは、吐出ポートを通ってポンプカバー５７に設けられた吐出口５７ｄから吐出される。
【００６３】
＜回路基板アセンブリ７０及び電動オイルポンプ１の作用・効果＞
次に、回路基板アセンブリ及び電動オイルポンプ１の作用・効果について説明する。図１に示すように、電動オイルポンプ１のモータ部１０が駆動すると、モータ部１０のシャフト１１が回転して、ポンプロータ４７のインナーロータ４７ａの回転にともなってアウターロータ４７ｂも回転する。ポンプロータ４７が回転すると、ポンプ部４０の吸入口５７ｃから吸引されたオイルは、ポンプ部４０の収容部５３内を移動して、吐出ポートを通って吐出口５７ｄから吐出される。
【００６４】
（１）ここで、本実施形態に係る回路基板アセンブリ７０の外部端子８６は、図４に示すように、挿入側開口部７３ｄ３から外部端子装着孔部７３ｄ２内に挿入されて、外部端子８６の先端部が突出側開口部７３ｄ４から突出するとともに接続孔部７５ｂに挿入された状態で、外部端子装着孔部７３ｄ２に配置される。このため、外部端子８６を外部端子装着孔部７３ｄ２に挿入するだけで、外部端子８６と回路基板７５を電気的に接続することができる。したがって、外部端子８６を有した外部コネクタと、回路基板７５に電気的に接続された内部コネクタとを繋いで、外部端子８６と回路基板７５とを電気的に接続する場合と比較して、部品点数及びコストを軽減することができ、また、回路基板アセンブリ７０及び電動オイルポンプの小型化を実現することができる。
【００６５】
（２）また、外部端子８６は、外部端子装着孔部７３ｄ２内に挿入された状態で、突起部７３ｄ６及び係止凹部８６ａ５が嵌め合って外部端子装着孔部７３ｄ２内に配置される。このため、外部端子８６を外部端子装着孔部７３ｄ２内に挿入した状態で、外部端子８６を外部端子装着孔部７３ｄ２に配置することができる。
【００６６】
（３）また、外部端子８６は、弾性変形可能なストッパ部８６ｂを有し、ストッパ部８６ｂは接続孔部７５ｂに接続される側と反対側へ進むにしたがって径方向外側へ傾斜して延びる。このため、外部端子８６を外部端子装着孔部７３ｄ２に挿入する際は、ストッパ部８６ｂは弾性変形して段部７３ｄ５を通過して、外部端子８６が回路基板７５に接続される。一方、ストッパ部８６ｂが段部７３ｄ５を通過すると、ストッパ部８６ｂは元の状態に戻って開いた状態となり、ストッパ部８６ｂの延伸方向の先端部が段部７３ｄ５の突出側開口部７３ｄ４側の面７３ｄ７に対向して位置に配置される。このため、外部端子８６が外部端子装着孔部７３ｄ２から引き抜かれる虞を防止することができる。
【００６７】
（４）また、インバータハウジング７３は、樹脂による一体成型品であり、段部７３ｄ５は、外部端子受部７３ｄを突出側開口部７３ｄ４側から挿入側開口部７３ｄ３に向かって見たときに、切り欠き部７３ｄ８を介して段部７３ｄ５の突出側開口部７３ｄ４側の面７３ｄ７が露出するとともに、突出側開口部７３ｄ４を有した外部端子受部７３ｄの回路基板７５側の端部７３ｄ１と重ならない位置に配置される。このため、一体成型に使用される金型の一部を段部７３ｄ５の周辺に配置する場合、段部７３ｄ５が外部端子受部７３ｄの回路基板７５側の端部７３ｄ１と重なる位置にあると、金型の一部を段部７３ｄ５の周辺に配置することができなくなり、インバータハウジング７３は、樹脂による一体成型ができなくなる。そこで、段部７３ｄ５は外部端子受部７３ｄの回路基板７５側の端部７３ｄ１と重ならない位置に配置することで、樹脂によるインバータハウジング７３の一体成型を可能にすることができる。
【００６８】
（５）また、インバータハウジング７３は、金属製のベースプレート７７を介してモータ部１０のモータハウジング１３に固定される。このため、モータ部１０等から伝わる振動がベースプレート７７を介してインバータハウジング７３に伝播する場合、インバータハウジング７３に伝播する振動の増大を抑制することができる。また、外部端子８６がインバータハウジング７３に設けられた外部端子受部７３ｄ内に配置されてインバータハウジング７３の小型化が可能になるので、インバータハウジング７３を有した電動オイルポンプ１を小型化することができる。
【００６９】
（６）また、外部端子受部７３ｄの挿入側開口部７３ｄ３側は、連通孔部７７ｄを通ってベースプレート７７の軸方向一方側へ延びる延長部７３ｄ１０を有するので、外部ケーブル８７が金属製のベースプレート７７に接触する虞を防止することができ、外部ケーブル８７の絶縁性を維持することができる。
【００７０】
（７）また、固定部材７４が外部端子受部７３ｄに隣接して配置される。外部端子８６の近くに金属製の固定部材７４を配置する場合、外部端子８６及び固定部材７４間の距離が絶縁を確保できる絶縁距離よりも小さい場合には、外部端子８６の絶縁性が確保できなくなる。しかしながら、外部端子受部７３ｄは樹脂製であり、外部端子８６は外部端子受部７３ｄに挿入されるため、外部端子８６の絶縁性は保たれる。このため、固定部材７４を外部端子受部７３ｄに隣接して配置しても外部端子８６の絶縁性を確保することができる。よって、インバータハウジング７３の小型化を容易にすることができる。
【００７１】
（８）また、連通孔部７７ｄが設けられた側のベースプレート７７の側端部に支持部７７ｅが設けられ、支持部７７ｅは、外部端子８６に電気的に繋がる外部ケーブル８７を支持する。このため、外部端子装着孔部７３ｄ２に装着された外部端子８６から延びる外部ケーブル８７を支持部７７ｅで支持することができる。
【００７２】
以上、本発明の好ましい実施形態について説明したが、本発明は、これらの実施形態に限定されず、その要旨の範囲内で種々の変形および変更が可能である。これらの実施形態及びその変形は、発明の範囲及び要旨に含まれると同時に、特許請求の範囲に記載された発名とその均等の範囲に含まれる。
【００７３】
本出願は、２０１７年８月３１日に出願された日本特許出願である特願２０１７−１６７９８６号に基づく優先権を主張し、当該日本特許出願に記載されたすべての記載内容を援用する。
【符号の説明】
【００７４】
１  電動オイルポンプ
１０  モータ部
１１  シャフト
１３  モータハウジング
１３ｄ  底部
２０  ロータ
２２  ステータ
４０  ポンプ部
４７  ポンプロータ
５１  ポンプハウジング
７０  インバータ部
７３  インバータハウジング
７３ａ  回路基板収容部
７３ａ１  底面
７３ｄ  外部端子受部
７３ｄ１  端部
７３ｄ２  外部端子装着孔部
７３ｄ４  挿入側開口部
７３ｄ４  突出側開口部
７３ｄ５  段部
７３ｄ６  突起部
７３ｄ７  面
７３ｄ８  切欠き部
７４  固定部材
７５  回路基板
７７  ベースプレート
７７ｄ  連通孔部
７７ｅ  支持部
８６  外部端子
８６ａ５  係止凹部
８６ｂ  ストッパ部
Ｊ  中心軸
【図１】
2019044521.tif 000003
【図２】
2019044521.tif 000004
【図３】
2019044521.tif 000005
【図４】
2019044521.tif 000006
【図５】
2019044521.tif 000007
【図６】
2019044521.tif 000008
【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
回路基板と、
前記回路基板を収容する有底容器状の回路基板収容部を有するインバータハウジングと、
前記回路基板収容部内に配置され、前記回路基板の幅方向一方側端部に接続されて前記回路基板収容部の底面に延びる外部端子と、
を有し、
前記回路基板は、前記外部端子が挿入される接続孔部を有し、
前記接続孔部は、前記回路基板の厚さ方向に貫通し、
前記インバータハウジングは、前記回路基板収容部の前記底面から前記回路基板の前記接続孔部側へ向かって突出する外部端子受部を有し、
前記外部端子受部は、前記外部端子受部の前記回路基板側の端部と前記インバータハウジングの底部との間を貫通する外部端子装着孔部を有し、
前記外部端子装着孔部は、
前記インバータハウジングの前記底部に開口する挿入側開口部と、
前記外部端子受部の前記回路基板側の前記端部に開口する突出側開口部と、
を有し、
前記突出側開口部は、前記回路基板の前記接続孔部に対向して配置され、
前記外部端子は、前記挿入側開口部から前記外部端子装着孔部内に挿入されて、前記外部端子の先端部が前記突出側開口部から突出するとともに前記接続孔部に挿入された状態で、前記外部端子装着孔部に配置される
回路基板アセンブリ。
【請求項２】
前記外部端子装着孔部の内面には、径方向内側へ突出する突起部が設けられ、
前記外部端子は、前記突起部と嵌め合う係止凹部を有し、
前記外部端子は、前記外部端子装着孔部内に挿入された状態で、前記突起部及び前記係止凹部が嵌め合って前記外部端子装着孔部内に配置される
請求項１に記載の回路基板アセンブリ。
【請求項３】
前記外部端子装着孔部の内面には径方向内側へ突出する段部を有し、
前記外部端子は、前記外部端子の側面に設けられ前記外部端子が前記接続孔部に接続される側と反対側へ進むにしたがって径方向外側へ傾斜して延びるストッパ部を有し、
前記ストッパ部は、弾性変形可能であり、
前記段部は、前記外部端子が前記外部端子装着孔部内に挿入された状態で、前記段部の径方向内側の先端部に対向する前記外部端子装着孔部の前記内面と前記段部の前記先端部との間の距離は、前記外部端子の前記段部の突出方向の厚さよりも大きく、かつ前記ストッパ部の延伸方向の先端部は、前記段部の前記突出側開口部側の面に対向して配置される
請求項１又は２に記載の回路基板アセンブリ。
【請求項４】
前記インバータハウジングは、樹脂による一体成型品であり、
前記外部端子受部は、前記段部よりも前記突出側開口部側の側壁部に前記外部端子装着孔部に連通する切欠き部を有し、
前記段部は、前記外部端子受部を前記突出側開口部側から前記挿入側開口部に向かって見たときに、前記切欠き部を介して前記段部の前記突出側開口部側の前記面が露出するとともに、前記突出側開口部を有した前記外部端子受部の前記回路基板側の端部と重ならない位置に配置される
請求項３に記載の回路基板アセンブリ。
【請求項５】
請求項１から４のいずれか１項に記載の前記回路基板アセンブリと、
前記インバータハウジングの前記底部に配置されて前記底部の底面に沿って広がる金属製のベースプレートと、
を有し、
前記ベースプレートに対して前記インバータハウジング側と反対側に、前記ベースプレートに対して交差する方向に延びる中心軸を中心とするシャフトを有するモータ部と、
前記モータ部に対して前記インバータハウジング側と反対側の軸方向一方側に位置し、前記モータ部によって前記シャフトを介して駆動されオイルを吐出するポンプ部と、
が設けられ、
前記モータ部は、
前記シャフトの軸方向他方側に固定されるロータと、
前記ロータの径方向外側に位置するステータと、
前記ロータ及び前記ステータを収容するモータハウジングと、
を有し、
前記ポンプ部は、
前記モータ部から軸方向一方側に突出する前記シャフトに取り付けられるポンプロータと、
前記ポンプロータを収容する収容部を有したポンプハウジングと、
を有し、
前記モータハウジングは、前記インバータハウジング側に底部を有する有底筒状であり、
前記モータハウジングは、前記インバータハウジング側の前記底部に前記ベースプレートを介して前記インバータハウジングを固定する
電動オイルポンプ。
【請求項６】
前記ベースプレートは、前記外部端子装着孔部の前記挿入側開口部に対向する位置に連通孔部を有し、
前記外部端子受部の前記挿入側開口部側は、前記連通孔部を通って前記ベースプレートの軸方向一方側へ延びる延長部を有する
請求項５に記載の電動オイルポンプ。
【請求項７】
前記インバータハウジングは、樹脂製であり、
前記インバータハウジングの前記底部には、前記底部を前記ベースプレートに固定する金属製の固定部材を有し、
前記固定部材は、前記外部端子受部に隣接して配置される
請求項６に記載の電動オイルポンプ。
【請求項８】
前記ベースプレートの前記連通孔部が設けられた側の前記ベースプレートの側端部には、軸方向一方側へ進むにしたがって径方向外側へ傾斜して延びる支持部が設けられ、
前記支持部は、前記外部端子に電気的に繋がるケーブルを支持する
請求項７に記載の電動オイルポンプ。
【国際調査報告】
2019044521.tif 000009
2019044521.tif 000010
2019044521.tif 000011
2019044521.tif 000012